(57)【要約】【課題】簡単な構成で温室を安定して恒温化可能な温室保温装置を提供する。【解決手段】温室内を保温する温室保温装置９０において、温室内に、ファン９１を有し温室内の空気を循環させるダクト７を設け、ダクト７内に潜熱型の蓄熱剤を充填した蓄熱体９２を配置する構成とした。【選択図】図３
2014045746.tif 000002
【特許請求の範囲】
【請求項１】
温室内を保温する温室保温装置において、
前記温室内に、ファンを有し前記温室内の空気を循環させるダクトを設け、
前記ダクト内に潜熱型の蓄熱剤を充填した蓄熱体を配置したことを特徴とする温室保温装置。
【請求項２】
前記ダクトは、前記温室内の上部の空気を吸い込む吸込口と、前記温室内の下部へ空気を吹き出す吹出口とを備え、
前記蓄熱体を送風方向に沿って配置したことを特徴とする請求項１に記載の温室保温装置。
【請求項３】
前記蓄熱体は、中空筒状体が多数散在する平板状のパネル体の隙間部分に潜熱型の蓄熱剤を充填した蓄熱パネルであることを特徴とする請求項１又は２に記載の温室保温装置。
【請求項４】
前記蓄熱パネルを送風方向に沿って複数配置したことを特徴とする請求項３に記載の温室保温装置。
【請求項５】
培地部の下部に空間部を形成し、前記培地部に植えた植物の根部を前記空間部に伸長させる栽培装置を備え、
前記ダクトは、前記温室内の上部の空気を吸い込む吸込ダクトと、吸い込んだ空気を吹き出す吹出ダクトとを備え、
前記吹出ダクトを前記空間部内に配置して、前記温室内の上部の空気を前記空間部内に導入したことを特徴とする請求項１乃至４のいずれかに記載の温室保温装置。
【請求項６】
前記ダクトは、下側に吹出口を有する少なくとも一対の吹出ダクトを当該吹出ダクトの延出方向に沿って配置し、
一対の前記吹出ダクトは、相手の吹出ダクト側に、相手の吹出ダクトと反対側且つ上側に延出して端部に吸込口を有する吸込ダクトを備えたことを特徴とする請求項１乃至４のいずれかに記載の温室保温装置。
【発明の詳細な説明】
【技術分野】
【０００１】
本発明は、温室内の空気を循環させるダクトを備えた温室保温装置に関する。
【背景技術】
【０００２】
従来、太陽光を熱源として温室の温度を調整する温室保温装置が知られている（例えば、特許文献１参照）。この温室保温装置では、温室に設けた開口部から太陽光を取り入れて温室内の温度を調整するとともに、温室の屋根部内側に設けた集熱室にダクトを介して温室内の空気を取り込んで太陽光によって暖め、暖められた空気を温室内に循環させることで温室を保温している。また、温室内の下部にダクトの周りに液状の熱媒体を貯留し、チューブで集熱室に吸い上げて熱媒体に蓄熱し、熱媒体の蓄熱を保温に用いている。
【先行技術文献】
【特許文献】
【０００３】
【特許文献１】特開平８−１３０９９２号公報
【発明の概要】
【発明が解決しようとする課題】
【０００４】
しかしながら、上記従来の構成では、熱媒体に係る構成が複雑であるとともに、上記従来の構成をもってしても、温室内を一定の温度に保つことが難しく、温度をより安定して保ちたいという要望がある。
本発明は、上述した事情に鑑みてなされたものであり、簡単な構成で温室を安定して恒温化可能な温室保温装置を提供することを目的とする。
【課題を解決するための手段】
【０００５】
上記目的を達成するために、本発明は、温室内を保温する温室保温装置において、前記温室内に、ファンを有し前記温室内の空気を循環させるダクトを設け、前記ダクト内に潜熱型の蓄熱剤を充填した蓄熱体を配置したことを特徴とする。
【０００６】
また、上記構成において、前記ダクトは、前記温室内の上部の空気を吸い込む吸込口と、前記温室内の下部へ空気を吹き出す吹出口とを備え、前記蓄熱体を送風方向に沿って配置してもよい。
【０００７】
また、上記構成において、前記蓄熱体は、中空筒状体が多数散在する平板状のパネル体の隙間部分に潜熱型の蓄熱剤を充填した蓄熱パネルであってもよい。
【０００８】
また、上記構成において、前記蓄熱パネルを送風方向に沿って複数配置してもよい。
【０００９】
また、上記構成において、培地部の下部に空間部を形成し、前記培地部に植えた植物の根部を前記空間部に伸長させる栽培装置を備え、前記ダクトは、前記温室内の上部の空気を吸い込む吸込ダクトと、吸い込んだ空気を吹き出す吹出ダクトとを備え、前記吹出ダクトを前記空間部内に配置して、前記温室内の上部の空気を前記空間部内に導入してもよい。
【００１０】
また、上記構成において、前記ダクトは、下側に吹出口を有する少なくとも一対の吹出ダクトを当該吹出ダクトの延出方向に沿って配置し、一対の前記吹出ダクトは、相手の吹出ダクト側に、相手の吹出ダクトと反対側且つ上側に延出して端部に吸込口を有する吸込ダクトを備えてもよい。
【発明の効果】
【００１１】
本発明によれば、温室内に、ファンを有し温室内の空気を循環させるダクトを設け、ダクト内に潜熱型の蓄熱体を配置したため、ファンを駆動することで、蓄熱剤が放熱して凝固して蓄熱体に比較的大きな冷熱量が蓄熱され、あるいは、蓄熱剤が融解して吸熱して蓄熱体に比較的大きな温熱量が蓄熱されるので、ダクト内に潜熱型の蓄熱剤を充填した蓄熱体を設けるという簡単な構成によって温室を安定して恒温化できる。
【図面の簡単な説明】
【００１２】
【図１】本発明の第１の実施の形態に係る温室保温装置を用いた温室調温システムを示す正面図である。
【図２】温室調温システムを示す平面図である。
【図３】温室調温システムを示す側面断面図である。
【図４】ミスト栽培装置を示す正面断面図である。
【図５】温室保温装置を示す正面図である。
【図６】温室保温装置の本体を示す斜視図である。
【図７】蓄熱パネルを示す斜視図である。
【図８】蓄熱パネルを示す断面図である。
【図９】（Ａ）及び（Ｂ）は、蓄熱パネルの製造方法を示す図である。
【図１０】（Ａ）〜（Ｃ）は、蓄熱パネルの製造方法を示す図である。
【図１１】（Ａ）及び（Ｂ）は、蓄熱パネルの製造方法を示す図である。
【図１２】本発明の第２の実施の形態に係る温室保温装置を用いた温室調温システムを示す正面図である。
【図１３】温室調温システムを示す側面図である。
【図１４】本発明の第３の実施の形態に係る温室保温装置を用いた温室調温システムを示す正面図である。
【図１５】温室調温システムを示す側面図である。
【図１６】温室保温装置を拡大して示す斜視図である。
【図１７】蓄熱パネルユニットを示す斜視図である。
【図１８】蓄熱パネルの保持具を示す斜視図であり、（Ａ）はコーナー保持具を、（Ｂ）は中間保持具を示す。
【図１９】本発明の他の実施の形態に係る温室保温装置を示す斜視図である。
【図２０】本発明の他の実施の形態に係る温室保温装置を示す側面図である。
【発明を実施するための形態】
【００１３】
＜第１の実施の形態＞
以下、図面を参照して本発明の実施形態について説明する。
図１は第１の実施の形態に係る温室保温装置を用いた温室調温システムを示す正面図であり、図２は温室調温システムを示す平面図である。
温室調温システム１０は、図１及び図２に示すように、温室５０と、空調装置（不図示）と、栽培装置２０と、温室保温装置９０とを備えて構成されている。
温室５０は、鉄骨製の骨組みに透明の部材、例えばビニールシート又はガラスを張った構造である。この温室５０は、平面視矩形状に形成され、例えば幅Ｗ１が１６ｍ（メートル）、長さＬ１が５０ｍ、高さＨ１が２．３ｍの壁部５１と、その壁部５１の上部を覆う切妻形状の屋根部５２とを備えて構成されている。
【００１４】
温室５０内には、温室５０の上部の温度を計測する上側温度センサ４１と、温室５０の下部の温度を計測する下側温度センサ４２が設けられており、これらの温度センサ４１，４２が計測した温度は制御装置４０に出力される。この温室５０内には、温室５０内の温度（以下、単に室温と言う。）を調節する空調装置と、温室５０内を保温する温室保温装置９０とが設けられている。空調装置は、制御装置４０の制御の下、冷房運転又は暖房運転を行い、温室５０内に冷熱及び温熱を与える熱源として機能する。温室５０の底部には、栽培装置２０が複数設置されている。
【００１５】
図３は、温室調温システム１０を示す側面断面図である。図４は栽培装置２０を示す正面断面図である。
栽培装置２０の主体部に空間部からなる施肥室２１が形成されている。なお、図示の都合上、施肥室２１に開放部があるように見えるが、周囲は厚手のシートなどで閉鎖した空間を形成している。この施肥室２１には各種の構造のものが採用されるが、例えば、下部支持材２２Ａと上部支持材２２Ｂを、支柱２２Ｃによって所定の間隔をおいて接続して枠体２２を形成している。
【００１６】
施肥室２１内の上方には少なくとも１本（本実施の形態では、２本）のスプレーノズル２４Ａが配置され、これより植物の根部に養分などを調整された液肥が噴霧されるようになっている。施肥室２１内の下方には、スプレーノズル２４Ａから噴霧された肥料を受けるドレンパン２４Ｂが配置されている。ドレンパン２４Ｂには、ドレン管２４Ｃを介して処理槽２４Ｄが接続されており、この処理槽２４Ｄ内で液肥に養分が添加される。処理槽２４Ｄとスプレーノズル２４Ａとはポンプ２４Ｅを有する供給管２４Ｆによって接続されており、制御装置４０の制御の下、ポンプ２４Ｅを運転することにより、液肥がスプレーノズル２４Ａに供給される。これらのスプレーノズル２４Ａ、ドレンパン２４Ｂ、ドレン管２４Ｃ、処理槽２４Ｄ、ポンプ２４Ｅ、供給管２４Ｆは、ミスト噴霧装置２４を構成している。
【００１７】
上部支持材２２Ｂの上には上部容器２５が支持され、この上部容器２５内には図示しない透水性網状物などを敷き、その上に培地部２６を敷いている。上部容器２５とドレンパン２４Ｂとの間の側面を厚手の非透水性シート（不図示）で覆い、施肥室２１を一個の閉鎖された空間に形成し、根部に雑菌が侵入することを防止している。
培地部２６には青ジソ（大葉）などの植物Ｐが植えられ、施肥室２１内に根部Ｒを伸ばし、この根部Ｒに対してスプレーノズル２４Ａよりその植物Ｐの性質に合わせて調節された肥料が噴霧状態で、適宜、適量だけ管理された状態で供給されるようになっている。
【００１８】
図５は、温室保温装置９０を示す正面図である。
温室保温装置９０は、温室５０の長さＬ方向に対向して２つ設けられており、各温室保温装置９０は、図２及び図５に示すように、ダクト７と、ファン（例えば、有圧換気扇）９１と、蓄熱体９２とを備えている。ダクト７は、温室５０の上部を長さＬ方向に延出する上部ダクト７Ａと、上部ダクト７Ａから下方に延出する縦ダクト７Ｂと、温室５０の幅Ｗ１方向略中央部、且つ、温室５０の長さＬ方向の一端部に配置され、縦ダクト７Ｂに接続される本体７Ｃと、本体７Ｃから温室５０の下部に延在する下部ダクト７Ｄとを備えている。上部ダクト７Ａ及び縦ダクト７Ｂは一体に形成されており、上部ダクト７Ａ、縦ダクト７Ｂ及び下部ダクト７Ｄのそれぞれは、例えば直径３２０ｍｍのフレキシブルダクトを用いて構成されている。本体７Ｃは、一辺Ｓが９００ｍｍの立方体状に形成され、パレット９５を介して床置きされている。縦ダクト７Ｂ及び本体７Ｃは縦チャンバ７Ｅを介して接続され、この縦チャンバ７Ｅは縦ダクト７Ｂから本体７Ｃに風路を拡張するように四角錐形に形成されている。本体７Ｃ及び下部ダクト７Ｄは横チャンバ７Ｆを介して接続され、各横チャンバ７Ｆは本体７Ｃから下部ダクト７Ｄに風路を縮小するように円錐形に形成されている。横チャンバ７Ｆには複数のスリットを配列したベンチレーター９６が設けられている。
【００１９】
上部ダクト７Ａは、温室５０の長さＬ方向に渡って延在しており、上部に、温室５０内の上部の空気を吸い込む吸込口９３を延出方向に沿って複数備え、吸込ダクトとして機能する。
下部ダクト７Ｄは、壁部５１に沿って温室５０の幅Ｗ方向に延びるヘッダ７Ｇと、ヘッダ７Ｇから温室５０の長さＬ方向に延出する複数（本実施の形態では、４本）の吹出ダクト７Ｈとを備えている。この吹出ダクト７Ｈは、図３及び図４に示すように、各栽培装置２０の施肥室２１内に延在している。吹出ダクト７Ｈは、ドレンパン２４Ｂの上方に設けられており、吹出ダクト７Ｈの上部に、吸い込んだ空気を吹き出す吹出口９４を備えている。なお、本実施の形態では、吹出口９４から吹き出された空気が根部Ｒに当たるように、吹出ダクト７Ｈを下部に設けるとともに、吹出ダクト７Ｈの上部に吹出口９４を設けているが、吹出ダクト７Ｈの位置は施肥室２１内であればよく、吹出口９４の位置も吹出ダクト７Ｈの上部に限定されない。
【００２０】
縦ダクト７Ｂには、図２に示すように、ファン９１を配置するファン収容部９１Ａが設けられている。ファン９１は制御装置４０（図１）により駆動されるように構成され、ファン９１を駆動することで、温室５０内の上部の空気が吸込口９３から吸い込まれ、吸い込まれた空気が吹出口９４から温室５０（施肥室２１）内に戻されて、温室５０内の空気が循環する。制御装置４０は、温度センサ４１（図１）が計測した温室５０の上部の温度と、温度センサ４２（図１）が計測した温室５０の下部の温度との差（以下、単に温度差と言う。）が所定温度（例えば、５℃）以上になるとファン９１を駆動する。また、制御装置４０は、温度差が０℃になると、ファン９１を停止する。
【００２１】
図６は、温室保温装置９０の本体７Ｃを示す斜視図である。
蓄熱体９２は、平板状の蓄熱パネル１を複数（本実施の形態では、１０枚）枚温室５０の長さＬ（図２）方向に間隔を空けて配置して構成されている。換言すれば、蓄熱パネル１は、本体７Ｃ内の上方から側方へ流れる空気の流れに沿って配置されている。また、蓄熱パネル１は、本体７Ｃの４つの側面３Ｃ１Ａと隙間δを空けて配置されている。
以下、蓄熱パネル１の詳細について説明する。
【００２２】
図７は蓄熱パネル１の一部を切り欠いて示す斜視図であり、図８は蓄熱パネル１を示す断面図である。
蓄熱パネル１は、板状の樹脂製で中空のパネル体８の表裏面を樹脂製の表面シート材９で覆って容器を形成し該容器に蓄熱剤５を充填して構成されている。パネル体８は、底部に向かって縮径した所定の高さの円錐台形状（すり鉢状や円柱状でもよい）の凹部である袋状凹部１３が千鳥格子状に設けられた２枚の樹脂製のパネル材２を、袋状凹部１３の底部同士が当接するように重ね合わせて接合して形成されている。すなわち、パネル体８には、２枚のパネル材２の間に、胴部が括れた形状（いわゆる、砂時計形状）の多数の中空筒状体１１が散在し、また、それぞれの中空筒状体１１の間には互いに連通した隙間１２が形成される。
【００２３】
パネル体８にあっては、これらの中空筒状体１１により剛性が高められ、また、軽量化が図られる。そして、このように剛性に優れ軽量なパネル体８を、袋状凹部１３を予め設けた２枚のパネル材２を貼り合わせるだけで簡単に製作できる。
上記表面シート材９は、パネル体８の縁部の隙間１２を封止して、パネル体８を容器３２（図９）とするものであり、この表面シート材９には樹脂製の硬質シートが用いられている。
【００２４】
蓄熱剤５には、固相−液相の間で状態を変化させて蓄熱する各種の潜熱型のものが使用され、蓄熱剤５は、例えば硫酸ナトリウム１０水塩を主成分とし、食塩水及び水分を吸収した樹脂材を添加することで得られる。本実施の形態では、蓄熱剤５は、マイナス（−）７０℃からプラス（＋）７０℃に加熱された過程では約３５．８℃に吸熱ピークが出現し、プラス（＋）７０℃からマイナス（−）７０℃に冷却される過程では約２５．８℃に放熱ピークが出現する蓄熱剤が用いられている。このような蓄熱剤５を蓄熱パネル１に用いることで、蓄熱パネル１が約３１℃で蓄熱し約２８℃で安定放熱するパネルが実現される。
【００２５】
蓄熱パネル１は、厚さが１０ｍｍ程度に構成される。この蓄熱パネル１の厚さ方向には多数の中空筒状体１１が散在することから、この中空筒状体１１の表面を伝って空気の熱が蓄熱パネル１の深部（厚さ方向）にまで到達する。このため、空気と蓄熱剤５との間の蓄熱、放熱が円滑に行われることとなり、蓄熱パネル１の熱交換効率が高められる。
【００２６】
この構成では、蓄熱剤５に上記の潜熱型を用いるとともに、厚さ１０ｍｍ程度のパネル体８において、全容積に占める中空筒状体１１の全体の割合を２０％〜５０％（すなわち、蓄熱剤５の容積（隙間１２の体積）と中空筒状体１１の全体容積の比を８：２〜５：５）として蓄熱パネル１を構成することで、最適な熱応答性が実現されている。中空筒状体１１の容積を変更することで、蓄熱剤５の充填量や、中空筒状体１１と蓄熱剤５の接触面積などが変わるから、蓄熱パネル１の蓄熱性能を変えることができ、また、蓄熱剤５の熱応答性も変えることができる。中空筒状体１１の容積変更は、袋状凹部１３の数や寸法（開口径や深さ方向の縮径率）、形状（円錐やすり鉢状、円柱など）を変えるだけで簡単に変更可能である。また、蓄熱体９２に潜熱型の蓄熱剤５を用いたため、蓄熱剤５の種類を変更することで、所望の温度帯で機能（蓄熱、放熱）する蓄熱体９２を容易に得られる。
【００２７】
次いで、蓄熱パネル１の製造方法について、図７乃至図１１を参照して説明する。
パネル体８は、２枚のパネル材２を貼り合わせて形成するため、図９（Ａ）に示すように、その端面（縁部）３０が開放している。したがって、パネル材２の間の隙間１２に蓄熱剤５を充填するためには、容器を形成する必要がある。容器の形成に際しては、端面３０を閉塞するように、例えば帯状の閉塞用の板材を端面３０に宛がって接合し容器を構成することが考えられる。しかしながら、この場合には、端面３０が平滑な面でないと、閉塞用板材と端面３０の間に隙間が生じ、蓄熱剤５が漏れてしまうし、これを防止するために、端面３０を平滑に面出しするのは非常に労力が要る。そこで、本実施形態では、図９（Ｂ）に示すように、パネル体８の表裏面に、樹脂製の硬質シートである表面シート材９を重ねた後、パネル体８の表裏の面全体を加熱加圧して表面シート材９を接合する。表面シート材９には、例えばＰＰ（ポリプロピレン）やＰＥＴ（ポリエチレンテレフタラート）や塩化ビニール、スチロール等の硬質な熱可塑性の樹脂材が好適に用いられる。
【００２８】
次いで図１０（Ａ）に示すように、パネル体８の表裏面のいずれかの面の表面シート材９を、容器３２の縁部を画定する溶着予定線Ｉ〜ＩＶに沿って加熱しながら押圧し、パネル体８とともに熱溶着してパネル体８の周囲を封じる。図１０（Ｂ）に示すように、上記溶着予定線Ｉ〜ＩＶに沿って表面シート材９を切り落として密封の容器３２を形成する。
なお、表面シート材９が無い状態でもパネル体８の縁部を熱溶着することで容器３２を形成することは可能であるが、この場合には、パネル体８を構成するパネル材２の厚みが十分でないと、熱溶着箇所が延びて肉薄になったときに破けて穴が生じる。これに対して、表面シート材９を用いることで、破ける危険性を容易に回避することができ、また、表面の剛性や平坦性を確保することができる。
【００２９】
さて、容器３２を形成した後、図１０（Ｃ）に示すように、容器３２の上端部３２Ａに蓄熱剤５を注入する注入口３５、及びエア抜きのためのエア抜き孔３６を形成する。そして、図示しない治具で容器３２を起立保持し、注入口３５に接続した注入管から容器３２に蓄熱剤５を充填する。
そして、図１１（Ａ）に示すように、注入口３５、及びエア抜き孔３６の下側に規定した溶着予定線Ｖに沿って表面シート材９を加熱押圧して熱溶着し、図１１（Ｂ）に示すように、溶着予定線Ｖに沿って切り落として容器３２を分断する。蓄熱剤５を密封した蓄熱パネル１が形成される。
【００３０】
このように、本実施形態では、パネル体８を構成する２枚のパネル材２を熱溶着して容器３２を形成するため、密封性の高い容器３２を簡単に製造することができる。更に、パネル体８の表裏面に、樹脂製の硬質シートから成る表面シート材９を設けて熱溶着するため、溶着部分の破けが防止され液漏れを確実に防止することができる。
【００３１】
次に、本実施の形態の作用について説明する。
上記のように構成した蓄熱体９２を設けることで、夏季においては、昼間の外気温上昇に伴って室温が３１℃を超え始めると、この室温が蓄熱剤５に蓄熱されることから、冷房をせずとも（又は弱い冷房能力でも）、外気温による室温の上昇が抑えられる。また、温室５０内を冷房した際には、室温が２８℃を下回り始めると、蓄熱剤５が放熱することから、冷房による温室５０内の冷え過ぎが防止される。すなわち、この蓄熱体９２を用いることで、夏季においては、冷房を使用せずとも日中の外気温の温度上昇に比して室温の上昇を抑えることができ、また、冷房を使用した場合でも冷房による過度の冷え過ぎを防止した快適な室温が維持される。また、冷房終了に伴って蓄熱パネル１の動作が放熱から外気温の蓄熱に切り替わるため、冷房終了時に室温が急激に上昇することがない。
【００３２】
一方、冬季においては、日中の、あるいは暖房による温室５０内の熱が蓄熱体９２に蓄熱され、温室５０内の温度低下に伴って蓄熱剤５が放熱するため、外気の温度低下に比して温室５０内の温度低下が抑えられる。また冬季においては、安い夜間電力を使用して蓄熱剤５に蓄熱させておくことで、明け方にかけて外気温が低下し蓄熱パネル１が２８℃に冷やされたときに放熱を開始させることができる。これにより、明け方の冷え込むときに合せて温室５０内が暖められる。このように、蓄熱パネル１を用いることで、冬季においては、外気温の温度低下に比して室温の低下を抑えることができ、また、夜間電力を使用して蓄熱パネル１を加熱し蓄熱しておくことで電力料金を抑えつつ室温を維持できる。
【００３３】
また、本実施の形態の蓄熱パネル１では、中空筒状体１１が蓄熱剤５の中に散在するため、これら中空筒状体１１が蓄熱剤５の中を熱が伝わる際の抵抗として寄与し、中空筒状体１１がない場合に比べて蓄熱剤５の熱応答性が緩やかになる。この結果、放熱時には、その放熱を長時間に亘って緩やかに継続されることから、一日の長い時間に亘って、外部の温度変化に比べて緩やかに室温が変動することとなり、適切な温室５０内の温度環境を長時間に亘って維持することができる。
【００３４】
このように、本実施の形態の温室保温装置９０は、室温の急激な変動を防止できるので、温室５０内で植物を育成するハウス栽培に適する。ハウス栽培では、昼夜や夏冬等で温度変化が大きい外気の影響を受けやすく、植物の育成のための適温を維持するためには、人手がかかるとともに冷暖房にエネルギを大量に消費することとなる。そこで、温室保温装置９０を用いることで、品質の良い植物を安定的、且つ、効率的に育成することに加えて、冷暖房費を抑えることができるので、生産率向上と省エネルギ化を同時に実現できる。温度維持のためのエネルギについては、設備の構成にもよるが、温室保温装置９０を用いない場合に比べて半分近くまで削減できる。
また、実験によれば、温室保温装置９０は、冷暖房を用いない場合でも、温室５０の温度を約１５℃〜４５℃の約３０℃の範囲で維持することができる。温室５０内の温度を約３０℃往復（上昇及び低下）させるには３００ｃａｌ（カロリー）が必要となるので、蓄熱パネル１は、当該３００ｃａｌ／ｍ2の吸熱能力を有していることとなる。
【００３５】
また、蓄熱パネル１と本体７Ｃの側面３Ｃ１との間に隙間δを設けているため、ダクト７内に取り込まれた空気と蓄熱パネル１との接触面積を増大させることができるので、空気と蓄熱パネル１との熱交換効率が高められる。さらに、複数の蓄熱パネル１を平行に設けているため、空気と蓄熱パネル１との接触面積をより増大させることができるので、空気と蓄熱パネル１との熱交換効率がさらに向上する。
【００３６】
しかも、制御装置４０は、温室５０の上部と下部との温度差が所定温度（例えば、５℃）以上になると、ファン９１を駆動するように構成されているため、温室５０内の空気が循環して、温室５０内の上部と下部との温度差が小さくなる。また、温室保温装置９０は、ダクト７内に蓄熱体９２が設けられているため、ファン９１を駆動することで、ダクト７内に取り込まれた温室５０内の空気と、蓄熱パネル１の蓄熱剤５との間で効率良く熱交換され、上記の蓄熱・放熱が効率良く行われる。
【００３７】
これに加え、施肥室２１に吹出ダクト７Ｈを配置したため、温室５０内の上部の温かい空気が植物Ｐの根部Ｒ近傍に導入されるので、特に、冬季に根部Ｒが冷えるのを防止できる。しかも、栽培装置２０においては、根部Ｒに肥料や水を噴霧状で与えているので、この噴霧により蒸発潜熱等の原因で根部Ｒの熱が奪われて根部Ｒを冷やしてしまうが、根部Ｒの近傍に温室５０内の上部の温かい空気を供給することで、根部Ｒの温度が低下することを阻止でき、ひいては、植物Ｐの成長能力の低下を防止できる。
【００３８】
以上説明したように、本実施の形態によれば、温室５０内に、ファン９１を有し温室５０内の空気を循環させるダクト７を設け、ダクト７内に潜熱型の蓄熱剤５を充填した蓄熱体９２を配置する構成とした。この構成により、例えば温室５０内の温度が低下した際（例えば、上部と下部の温度差が５℃以上となった際に）にファン９１を駆動することで、温室５０内の空気を循環させて、温室５０内の温度むらを抑制できるとともに、温室５０内の空気の熱が蓄熱体９２に蓄熱され、あるいは温室５０内の空気が蓄熱体９２の放熱によって暖められるので、ダクト７内に潜熱型の蓄熱体９２を設けるという簡単な構成によって温室５０を恒温化できる。また、固相−液相の間で状態を変化させて蓄熱する潜熱型の蓄熱剤５を用いたため、比較的大きな熱量を蓄熱できるので、温室５０をより安定して恒温化できる。これにより、温室５０の温度を空調装置等の熱源によって調整する場合には、空調装置の負荷を軽減できるので、省エネルギ化を図ることができる。
【００３９】
また、本実施の形態によれば、蓄熱体９２は、中空筒状体１１が多数散在する平板状のパネル体８の隙間部分に潜熱型の蓄熱剤５を充填した蓄熱パネル１である構成とした。この構成により、蓄熱剤５に中空筒状体１１が点在するため、蓄熱剤５の深部（厚さ方向）にまで中空筒状体１１の表面を伝って空気層の熱が伝えられ、熱交換効率の向上が得られる。
【００４０】
また、本実施の形態によれば、蓄熱パネル１を送風方向に沿って複数配置したため、蓄熱パネル１とダクト内を流通する空気との接触面積が増大するため、熱交換効率の向上が得られる。
【００４１】
本実施の形態によれば、ダクト７０は、温室５０内の上部の空気を吸い込む吸込口９３と、温室５０内の下部へ空気を吹き出す吹出口９４とを備え、蓄熱体６２を送風方向に沿って配置する構成とした。この構成により、温室５０内の上部の空気が温室５０内の下部に吹き出されるので、温室５０内の上部と下部の温度差を速やかに抑えて、温室５０全体を恒温化できる。
【００４２】
本実施の形態によれば、培地部２６の下部に空間部である施肥室２１を形成し、培地部２６に植えた植物Ｐの根部Ｒを施肥室２１に伸長させる栽培装置２０を備え、ダクト７０は、温室５０内の上部の空気を吸い込む上部ダクト７Ａと、吸い込んだ空気を吹き出す吹出ダクト７Ｈとを備え、吹出ダクト７Ｈを施肥室２１内に配置して、温室５０内の上部の空気を施肥室２１内に導入する構成とした。この構成により、温室５０内の上部の温かい空気が施肥室２１に導入されるので、特に、冬季等に植物Ｐの根部Ｒが冷えることを防止できる。
【００４３】
＜第２の実施の形態＞
図１２は第３の実施の形態に係る温室保温装置を用いた温室調温システムを示す正面図であり、図１３は温室調温システムを示す側面図である。なお図１２及び図１３では、図１に示す温室調温システム１０と同一部分には同一の符号を付して説明を省略する。
温室調温システム１００は、栽培装置２０を備えておらず、吹出ダクト７Ｈが２本である点で図１に示す温室調温システム１０と異なる。
また、本実施の形態では、吹出口９４が、吹出ダクト７Ｈにおいて、温室５０の中央側の側部に、床面（地面）から所定の高さｔ（本実施の形態では、３０ｃｍ）に位置するように設けられている。
【００４４】
＜第３の実施の形態＞
図１４は第３の実施の形態に係る温室保温装置を用いた温室調温システムを示す正面図であり、図１１は温室調温システムを示す側面図である。図１５は、温室保温装置を拡大して示す断面図である。なお図１４及び図１５では、図１に示す温室調温システム１０と同一部分には同一の符号を付して説明を省略する。
温室調温システム２００は、図１４及び図１５に示すように、温室５０と、空調装置（不図示）と、温室保温装置６０とを備えて構成されている。
【００４５】
温室５０の略中央部には柱５３が設けられ、この柱５３には、温室５０の上部の温度を計測する上側温度センサ４１と、温室５０の下部の温度を計測する下側温度センサ４２が支持されている。温度センサ４１，４２が計測した温度は制御装置４０に出力される。この温室５０内には、温室５０内の温度（以下、単に室温と言う。）を調節する空調装置と、温室５０内を保温する温室保温装置６０とが設けられている。
【００４６】
温室保温装置６０は、ダクト７０と、ファン（例えば、有圧換気扇）６１と、蓄熱体６２（図１６参照）とを備えている。温室５０内には、複数対（本実施の形態では、四対）のダクト７０が温室５０の幅方向に等間隔に配列されており、これらのダクト７０は、温室５０内に設けたダクト支持体６３に支持されている。なお、図１５では、温室５０の屋根部５２と、ダクト支持体６３とを省略している。
【００４７】
各ダクト７０は、断面矩形状の筒体であり、温室５０内の上部の空気を吸い込む吸込口７１と、吸い込んだ空気を温室５０内の下方に向けて吹き出す吹出口７２とを有している。本実施の形態では、各ダクト７０は、温室５０内の上部を略水平に延びる吸込部７３と、吸込部７３から下方に延びる下降部７４と、この下降部７４から吸込部７３と略平行に延びる吹出ダクト７５とを有して、側面視略Ｊ字状に形成されている。吸込部７３及び下降部７４は、筒状に形成され、本実施の形態の吸込ダクト７６を構成しており、吸込ダクト７６の端面、すなわち、吸込部７３の端面が吸込口７１となる。一対のダクト７０は、吸込ダクト７６が温室５０内の長さ方向略中央部において背中合わせに配置され、一対のダクト７０の吸込口７１同士が対向しないように構成されている。
【００４８】
また、吹出ダクト７５は、下降部７４から連なる筒状の筒部７７と、下面に複数の吹出口７２が形成された吹出部７８とを備えている。
筒部７７内には、制御装置４０より駆動されるファン６１が設けられており、ファン６１を駆動することで、温室５０内の上部の空気が吸込口７１から吸い込まれ、吸い込まれた空気が吹出口７２から温室５０内に戻されて、温室５０内の空気が循環する。制御装置４０は、温度センサ４１が計測した温室５０の上部の温度と、温度センサ４２が計測した温室５０の下部の温度との差が所定温度（例えば、５℃）以上になるとファン６１を駆動する。
【００４９】
図１６は、温室保温装置６０を示す斜視図である。
吹出部７８は、図１６に示すように、複数のダクトユニット８０を吹出ダクト７５の送風方向（本実施の形態では、温室５０の長さＬ１方向）に沿って接続して構成され、各ダクトユニット８０は相互に連結するための連結部８１を備えている。連結部８１は、ダクトユニット８０の両端部外周に設けられた枠部であり、隣り合うダクトユニット８０の連結部８１同士を連結することで、隣り合うダクトユニット８０が接続される。なお、本実施の形態では、ダクトユニット８０は、例えば幅Ｗ２が１ｍ、長さＬ２が０．９ｍ、高さＨ２が０．４５ｍに形成されている。また、吹出口７２は、各ダクトユニット８０に設けられており、各吹出口７２は、例えば長さＬ３が０．１０ｍに形成されている。
【００５０】
吹出部７８内には、蓄熱体６２が設けられ、この蓄熱体６２は、吹出ダクト７５の上面７５Ａと隙間δ１を空けて配置された平板状の蓄熱パネル１Ａと、間隔をあけて幅Ｗ２方向に重ねて配置された複数枚（本実施の形態では、１０枚）の平板状の蓄熱パネル１Ｂとを備えている。両側に位置する蓄熱パネル１Ｂも、吹出ダクト７５の側面７５Ｂと隙間δ２を空けて配置されている。蓄熱体６２は、ダクト７０の下面に設けられた吹出口７２から温室５０内に露出しており、ファン６１を駆動しなくても、温室５０内の空気と接触するようになっている。
蓄熱体６２は、ダクトユニット８０毎に設けられた複数の蓄熱パネルユニット６４を備えており、ダクトユニット８０の数を変更することで、吹出部７８の長さを変更できるように構成なっている。なお、端部に位置するダクトユニット８０の端面を、例えば薄板等で塞いでもよい。
【００５１】
図１７は、蓄熱パネルユニット６４を示す斜視図である。図１８は、蓄熱パネル１Ａ，１Ｂの保持具を示す斜視図であり、図１８（Ａ）はコーナー保持具を、図１４（Ｂ）は中間保持具を示す。
蓄熱パネルユニット６４は、図１７に示すように、蓄熱パネル１Ａと、この蓄熱パネル１Ａと略直交して設けられる複数の蓄熱パネル１Ｂとを、蓄熱パネル１Ｂの延出方向両端において、コーナー保持具６５及び中間保持具６６で一体に保持して形成されている。
【００５２】
図１７及び図１８に示すように、コーナー保持具６５は、上側の蓄熱パネル１Ａを保持する上側保持部６５Ａと、下側の複数の蓄熱パネル１Ｂを保持する下側保持部６５Ｂとを備えて正面視略Ｌ字状に形成されている。中間保持具６６は、上側の蓄熱パネル１Ａを、蓄熱パネル１Ｂを跨って保持する上側保持部６６Ａと、蓄熱パネル１Ｂを保持する下側保持部６６Ｂとを備えて正面視略Ｔ字状に形成されている。上側保持部６５Ａ，６６Ａ及び下側保持部６５Ｂ，６６Ｂは、平板状の蓄熱パネル１Ａ，１Ｂを挟み込んで保持可能なように断面略コ字状に形成されている。
なお、蓄熱パネル１Ａ，１Ｂは、第１の実施形態の蓄熱パネル１と大きさのみ異なるが、当該蓄熱パネル１と同様に構成されるため、詳細な説明を省略する。
【００５３】
本実施の形態によれば、第１の実施形態と同等の効果を奏する。また、本実施の形態では、ダクト７０は、下側に吹出口７２を有する少なくとも一対の吹出ダクト７５を当該吹出ダクト７５の延出方向に沿って配置し、一対の吹出ダクト７５は、相手の吹出ダクト７５側に、相手の吹出ダクト７５と反対側且つ上側に延出して端部に吸込口７１を有する吸込ダクト７６を備える構成とした。この構成により、比較的温度の高い温室５０中央上部の空気が一対のダクト７０に取り込まれるので、温室５０内の空気を効率良く循環できる。また、吸込口７１が対向しないので、吸い込み抵抗が大きくならず、ファン６１の負荷を小さくすることができる。
【００５４】
但し、上記実施の形態は本発明の一態様であり、本発明の趣旨を逸脱しない範囲において適宜変更可能であるのは勿論である。
例えば、上記第３の実施の形態では、ダクト７０は断面矩形状の筒体であったが、図１９及び図２０に示すように、ダクト１７０を断面円形状の筒体としてもよい。なお、図１９及び図２０では、ダクト７０と略同等の構成となる部分には同一の符号を付して説明を省略する。ダクト１７０の吹出部７８は、複数のダクトユニット１８０を吹出ダクト７５の送風方向に沿って接続して構成されている。ダクトユニット１８０は、例えば径Ｄが０．４５ｍ、長さＬ２が０．９ｍに形成されている。各ダクトユニット１８０は、上下に分割して形成されており、上側ダクト体１８０Ａと、下側ダクト体１８０Ｂとを備えている。上側ダクト体１８０Ａは長さＬ２を有し、下側ダクト体１８０Ｂは長さＬ２より長さＬ３だけ短く形成されており、ダクト体１８０Ａ，１８０Ｂを固定する際には、下側ダクト体１８０Ｂは、両側が上側ダクト体１８０Ａより長さＬ３／２だけ短い位置に配置される。これにより、ダクトユニット１８０同士を接続することで、ダクトユニット１８０同士の接続部分に長さＬ３の吹出口７２が形成されることとなる。ダクト体１８０Ａ，１８０Ｂは、分割面となる分割辺に沿って相互に連結するための連結部１８１を備えている。この連結部１８１は、ダクトユニット１８０同士を連結する連結部としても機能し、隣り合うダクトユニット１８０の連結部１８１同士を連結することで、隣り合うダクトユニット１８０が接続される。
なお、図１９及び図２０に示す例では、ダクト１７０は上下に分割することで、下部に吹出口７２を備える断面円形状のダクトを容易に形成することができるが、ダクト１７０の製造構成は、これに限定されるものではなく、例えば、左右方向に分割して形成してもよいし、分割しなくともよい。
【００５５】
また、上記実施の形態では、蓄熱体は平板状の蓄熱パネルを複数備えて構成されていたが、蓄熱体の構成はこれに限定されるものではなく、数についても任意に変更可能である。
また、上記実施の形態では、制御装置は、温室の上部と下部の温度差が所定温度（例えば、５℃）以上になるとファンを駆動していたが、当該温度差が所定温度以上となったときにファンの回転数を上げ、温度差が所定温度未満となったときにファンの回転数を下げる制御を行ってもよい。
【００５６】
また、上記実施の形態では、ファンは、ダクト内において吹出ダクトの基部側に設けられているが、ファンを設ける位置はこれに限定されない。
また、上記実施の形態では、ダクトにファンを設けたが、ファンを省略してもよい。例えば、温室内の空気を循環させる送風機等の循環手段が設けられている場合には、ファンがなくとも温室全体を効率良く恒温化できる。また、この場合には、温室に無電源でダクトを設けることができるので、ダクトを容易に設置できる。
【００５７】
また、上記実施の形態では、１種類の蓄熱剤による蓄熱パネルを用いていたが、夏用、冬用の蓄熱剤による２種類の蓄熱パネルの組み合わせを用いた形態を採用してもよい。この場合、例えば平行に配置した複数の蓄熱パネルについて、夏用の蓄熱剤による蓄熱パネルと、冬用の蓄熱剤による蓄熱パネルとを交互に配置すればよい。
【００５８】
また、上記実施の形態では、空気調和装置が設けられていたが、温度調節手段は空気調和装置に限定されるものではなく、例えばヒータを設けてもよい。この場合、例えば、第１の実施の形態では、ヒータを施肥室に設けるのが望ましい。また、温度調節手段を省略してもよい。
また、上記実施の形態では、本発明を空調装置が設けられた温室に適用したが、これに限定されるものではなく、例えば空調装置が設けられない温室や、病院等のその他の建物に適用可能である。
【符号の説明】
【００５９】
５  蓄熱剤
８  パネル体
１１  中空筒状体
５０  温室
６０，９０  温室保温装置
６１，９１  ファン
６２，９２  蓄熱パネル（蓄熱体）
７，７０  ダクト
７１，９３  吸込口
７２，９４  吹出口
７Ａ  上部ダクト（吸込ダクト）
７Ｄ，７５  吹出ダクト
７６  吸込ダクト
【図１】
2014045746.tif 000003
【図２】
2014045746.tif 000004
【図３】
2014045746.tif 000005
【図４】
2014045746.tif 000006
【図５】
2014045746.tif 000007
【図６】
2014045746.tif 000008
【図７】
2014045746.tif 000009
【図８】
2014045746.tif 000010
【図９】
2014045746.tif 000011
【図１０】
2014045746.tif 000012
【図１１】
2014045746.tif 000013
【図１２】
2014045746.tif 000014
【図１３】
2014045746.tif 000015
【図１４】
2014045746.tif 000016
【図１５】
2014045746.tif 000017
【図１６】
2014045746.tif 000018
【図１７】
2014045746.tif 000019
【図１８】
2014045746.tif 000020
【図１９】
2014045746.tif 000021
【図２０】
2014045746.tif 000022